(57)【要約】【課題】本発明は、従来は移動するＧＰＳ用のアンテナからの位置情報を、地図上に表示する機能のみであったため、本発明はその位置のデータをサーバに電送し、サーバ内に蓄積された情報と位置情報を組み合わせたデータを生成し、サーバ登録者に、位置情報とともに、登録者が欲しい情報を提供することを目的としている。【解決手段】上記目的を達成するために本発明は、ＧＰＳ用のアンテナを搭載した携帯電話等の端末等から定期的に前記端末の位置に関する情報をサーバに電送し、前もって前記サーバに登録した端末登録者が指定した登録範囲に、前記端末登録者が登録したＧＰＳ用のアンテナを搭載した携帯電話等の端末が入ったときに、前記端末登録者に、あらかじめ定められた情報、前記サーバへの端末登録者が登録した情報またはその登録者が知りたいあらかじめサーバ内に蓄積された情報を、自動的にサーバ内で演算あるいは検索してメールにて返信する方法である。【選択図】　　　　　図１
2004127229.tif 000002
【特許請求の範囲】
【請求項１】
ＧＰＳ用のアンテナを搭載した携帯電話等の端末またはＧＰＳ用のアンテナを搭載しない携帯電話等の端末から、サーバへ定期的に前記ＧＰＳ用のアンテナを搭載した携帯電話等の端末の位置情報等を電送するためのプログラムまたは本システムを利用するためのプログラムをダウンロードするステップと、
本システムを利用するために、登録料の支払いがあれば登録希望者の端末を前記サーバに登録するステップと、
前記ＧＰＳ用のアンテナを搭載した携帯電話等の端末から定期的に前記端末の位置に関する情報等を前記サーバに電送するステップと、
前記電送された位置情報等を前記サーバに蓄積された地図のデータ上に前記サーバで自動演算しプロットおよびデータ等を表示するステップと、
前記サーバへの端末登録者の端末から、前記サーバ内に蓄積された地図情報上に任意の範囲を登録するステップと、
前記サーバに蓄積された地図のデータ上に前記サーバで自動演算しプロットおよび表示された情報をホームページとして表示するステップと、
前記登録した任意の範囲内に、前記サーバへの端末登録者が指定した前記サーバ上の前記ＧＰＳ用のアンテナを搭載した携帯電話等の端末が前記サーバ内の地図上にプロットした印が入ると、あらかじめ定められた情報、前記サーバへの端末登録者が登録した情報またはその登録者が知りたいあらかじめサーバ内に蓄積された情報を、自動的にサーバ内で演算あるいは検索してメールにて返信するステップと、からなるＧＰＳのアンテナを搭載した端末からの位置情報を表示し、位置情報及びその他の登録された情報を自動的に連絡する方法。
【請求項２】
上記請求項１記載のＧＰＳ用のアンテナを搭載した携帯電話等の端末から定期的に前記端末の位置に関する情報等を上記請求項１記載のサーバに電送し、その電送された位置情報と、前記携帯電話等の端末で前記サーバへの端末登録者が指定した範囲および項目と関連する情報を、前記サーバで自動的に演算あるいは検索して、前記携帯電話等の端末に情報を返信するようにした、ＧＰＳのアンテナを搭載した端末からの位置情報を表示し、位置情報およびその他の登録された情報を自動的に連絡する方法。
【請求項３】
上記請求項１記載のＧＰＳ用のアンテナを搭載した携帯電話等の端末から定期的に前記端末の位置に関する情報を、上記請求項１記載のサーバに電送し、前記電送された位置情報の軌跡を前記サーバに蓄積された地図のデータ上にサーバで自動演算してプロットし、上記請求項１記載のサーバへの端末登録者へその地図上にプロットした情報を電送するようにした、ＧＰＳのアンテナを搭載した端末からの位置情報を表示し、位置情報及びその他の登録された情報を自動的に連絡する方法。
【請求項４】
ＧＰＳ用のアンテナ及びＣＣＤカメラを搭載した携帯電話等の端末から定期的に前記端末の位置および前期ＣＣＤカメラの画像データ等を、上記請求項１記載のサーバに電送し、前記電送された位置情報等を前記サーバに蓄積された地図のデータ上に前記サーバで自動演算しプロットおよびデータ等を表示し、その情報をホームページとして表示し、上記請求項１記載の端末登録者にデータを電送するようにした、ＧＰＳのアンテナを搭載した端末からの位置情報を表示し、位置情報及びその他の登録された情報を自動的に連絡する方法。
【請求項５】
上記請求項１記載のＧＰＳ用のアンテナを搭載した携帯電話等の端末から定期的に前記端末の位置情報を上記請求項１記載のサーバに電送し、その電送された位置情報を基に、前記端末の移動速度を前記サーバで演算し、その演算したデータを、上記請求項１記載の前記サーバへの端末登録者が望む情報に前記サーバ内で自動的に加工して、その情報をホームページとして表示し、前記サーバへの端末登録者へデータを電送するようにした、ＧＰＳのアンテナを搭載した端末からの位置情報を表示し、位置情報及びその他の登録された情報を自動的に連絡する方法。
【発明の詳細な説明】
【０００１】
【発明の属する技術分野】
本発明は、ＧＰＳ用のアンテナを搭載した携帯電話等の端末から前記端末の位置に関する情報を定期的にサーバに電送し、前もって前記サーバに登録した端末登録者に、電送された前記位置情報等を基に、前記端末登録者に所定の情報を返信する方法に関する。
【０００２】
【従来の技術】
従来は移動するＧＰＳ用のアンテナからの位置情報を、地図上に表示する機能のみで、サーバに登録した範囲に登録したＧＰＳ用のアンテナが入ったときに登録者に連絡したり、自分の位置情報を基にサーバ内のデータと組み合わせた情報を電送する仕組みはなかった。
【０００３】
【発明が解決しようとする課題】
従来は移動するＧＰＳ用のアンテナからの位置情報を、地図上に表示する機能のみであったため、本発明はその位置のデータをサーバに電送し、サーバ内に蓄積された情報と位置情報を組み合わせたデータを生成し、サーバ登録者に、位置情報とともに、登録者が欲しい情報を提供することを目的としている。
【０００４】
【課題を解決するための手段】
上記目的を達成するために本発明は、ＧＰＳ用のアンテナを搭載した携帯電話等の端末から定期的に前記端末の位置に関する情報をサーバに電送し、前もって前記サーバに登録した端末登録者が指定した登録範囲に、前記端末登録者が登録したＧＰＳ用のアンテナを搭載した携帯電話等の端末が入ったときに、前記端末登録者に、あらかじめ定められた情報、前記サーバへの端末登録者が登録した情報またはその登録者が知りたいあらかじめサーバ内に蓄積された情報を、自動的にサーバ内で演算あるいは検索してメールにて返信する方法である。
【０００５】
ＧＰＳ用のアンテナを搭載した携帯電話等の端末から来る定期的な位置に関する情報は、直接通信回線を通じて地理情報システムのデータ用に変換するサーバに電送される。
【０００６】
ＧＰＳ用のアンテナを搭載した携帯電話等の端末から定期的に位置に関する情報をサーバに電送するシステムおよび本システムを利用するために必要なプログラムは、登録者が登録料の支払いをした後にダウンロードできるようにする。
【０００７】
前記サーバに電送された携帯電話等の端末から来る定期的な位置に関するデータは、サーバに前もって蓄積された地図情報にプロットできるように、サーバ内でデータ変換され、地図上にプロットされる。
【０００８】
この時に、携帯電話等の端末から位置に関するデータ以外のデータ、たとえば気象に関するデータ、ゴミの投機に関するデータ、画像データ等もサーバに電送して、本システムの地図上にデータとして利用することができ、前記サーバに登録した端末登録者にそのデータを電送することができる。
【０００９】
前記サーバに登録した端末登録者が、サーバの地図上に任意の範囲を登録しておけば、その登録者が登録した他のＧＰＳ用のアンテナを搭載した携帯電話等の端末がその範囲内に入った時に、その位置情報を前記サーバに登録した端末登録者にメール等の方法で知らせることができる。
【００１０】
前記サーバに登録した端末登録者に知らせる情報は、前もって登録者が登録しておいた項目を、サーバで演算または検索して電送することができる。
【００１１】
前記サーバに電送された位置情報と、前記携帯電話等の端末で前記サーバへの端末登録者が指定した範囲および項目と関連する情報を、前記サーバで自動的に演算あるいは検索して、前記携帯電話等の端末に情報を返信することができる。
【００１２】
前記サーバへの端末登録者が指定した範囲および項目と関連する情報を、前記サーバで自動的に演算あるいは検索して、前記携帯電話等の端末に情報を返信するとは、たとえば、端末登録者が見知らぬ土地に来て、自分が今いる近くにどのような観光地があるか知りたい場合や、その観光地に行くための交通機関、その交通機関の時刻表等を、地図の範囲と知りたい項目を入力するだけでサーバにて検索してデータを返信してくれるシステムである。
【００１３】
また、前記サーバに登録した端末登録者に知らせる情報は、登録者が登録した範囲に、その登録者が登録した他のＧＰＳ用のアンテナを搭載した携帯電話等の端末が入らなくても、任意で登録者がサーバにアクセスし、データを要求することによっても得ることができる。
【００１４】
地図上にプロットされた情報等については、前記サーバに登録した端末登録者が、ＩＤ番号を入力することにより、ホームページによっても入手することが可能である。
【００１５】
ＧＰＳ用のアンテナを搭載した携帯電話等の端末から定期的にサーバに送られた位置に関する情報は、位置情報を連続的に繋ぐことによって、軌跡として表現することが可能で、移動体の移動履歴を得ることができる。
【００１６】
移動体の履歴は、時間別、範囲別等に分けて表示することが可能である。
【００１７】
ＧＰＳ用のアンテナを搭載した携帯電話等の端末を水上に浮遊させて海流の流れの履歴を解析する場合は、駆動装置をつなげることによって、前記端末から送られてくる位置情報を基に、サーバ内で現在の位置と目標位置を換算することによって、前記端末に方向に関するデータを電送し、前記ＧＰＳ用のアンテナを搭載した携帯電話等の端末を回収するために誘導することができる。
【００１８】
ＧＰＳ用のアンテナ及びＣＣＤカメラを搭載した携帯電話等の端末等から定期的に前記端末の位置および前期ＣＣＤカメラの画像データ等をサーバに電送し、前記電送された位置情報等を前記サーバに蓄積された地図のデータ上に前記サーバで自動演算しプロットおよびデータ等を表示し、その情報をホームページとして表示し、前記サーバへ登録した端末登録者にデータを電送することができる。
【００１９】
前記サーバへは、携帯電話等の端末から位置に関するデータ以外のデータ、たとえば気象に関するデータ、ゴミの投機に関するデータ、画像データ等も電送することができ、本システムの地図上にデータとして利用し、前記サーバに登録した端末登録者にそのデータを電送することができる。
【００２０】
ＧＰＳ用のアンテナを搭載した携帯電話等の端末から定期的に前記端末の位置情報をサーバに電送し、その電送された位置情報を基に、前記端末の移動速度を前記サーバで演算し、その演算したデータを、前記サーバへの端末登録者が望む情報に前記サーバ内で自動的に加工して、その情報をホームページとして表示し、前記サーバへの端末登録者へデータを電送することができる。
【００２１】
前記端末の移動速度は、前記ＧＰＳ用のアンテナを搭載した携帯電話等の端末から電送されるデータのみで演算するのではなく、前記端末の移動距離を座標の網図と組合せ、精度を向上させることが可能である。
【００２２】
前記ＧＰＳ用のアンテナを搭載した携帯電話等の端末等を自動車等に取り付けることによって、前記移動速度を利用して、現在の道路の渋滞状況等を知ることができる。
【００２３】
また、サーバにて前記端末の平均移動速度を計算し、前記サーバへの端末登録者が目的地を入力することによって、到着時間を予測することができる。
【００２４】
【発明の実施の形態】
発明の実施の形態を実施例にもとづき説明する。
図１の実施例は、ＧＰＳ用のアンテナを搭載した携帯電話等の端末等（１）から定期的に位置に関する情報をサーバ（２）に電送し、電送された情報を基にサーバ（２）上の地図へ位置情報をプロットして、ホームページを通じてリアルタイムに位置情報を表示し、また、端末登録者（１）（３）へサーバの情報をインターネット経由で連絡するようにした方法である。
【００２５】
端末登録者（１）（３）への連絡は、端末登録者（１）（３）がサーバ（２）に蓄積した地図情報に任意の範囲を登録し、その範囲内に端末登録者（１）が前もって登録したＧＰＳ用のアンテナを搭載した携帯端末（１）が入ったときに行うようにしているが、前記任意の範囲を登録しなくても、任意の範囲、知りたい項目等を端末（１）（３）に入力し、サーバ（２）に電送することによって、前記サーバ（２）の情報を端末登録者（１）（３）に電送することができる。
【００２６】
ＧＰＳ用のアンテナを搭載した携帯電話等の端末（１）は図１のように複数台登録することができ、サーバ（２）で番号管理され、ＧＰＳ用のアンテナを搭載した携帯電話等の端末等（１）からも、ＧＰＳ用のアンテナを搭載しない端末（３）からもサーバ（２）を通して各端末（１）の位置を知ることができる。
【００２７】
サーバ（２）には地図情報のデータが蓄積されており、ＧＰＳ用のアンテナを搭載した携帯電話等の端末（１）からの位置情報を計算し、地図上にプロットする。
【００２８】
図１の各端末（１）（３）は登録料を支払うことにより、サーバ（２）に登録されている。
【００２９】
サーバへの端末登録者が地図上に登録した範囲内にＧＰＳ用のアンテナを搭載した携帯電話等の端末（１）が入ると、サーバへの端末登録者にメールを返信する。
【００３０】
【発明の効果】
本発明は、以上説明したように構成されているので、以下に記載されるような効果を奏する。
【００３１】
登録者が知りたい移動する目的物の位置を、リアルタイムで知ることができる。
【００３２】
また、移動中の目的物が登録範囲に入ると登録者にメールが来る仕組みであり、目的物を地図上でモニタリングしなくても、目的物の動きを捕らえることができる。
【００３３】
移動体の軌跡を地図上で知ることができる。
【００３４】
前もってサーバに登録しておけば、移動体が位置する周辺の情報を、ＧＰＳ用のアンテナを搭載した携帯電話等の端末からその位置情報をサーバに電送するだけで得ることができる。
【図面の簡単な説明】
【図１】端末とサーバの関係を示した図である。
【符号の説明】
１　ＧＰＳ用のアンテナを搭載した端末
２　サーバ
３　ＧＰＳ用のアンテナを搭載しない端末
【図１】
2004127229.tif 000003